(57)【要約】【課題】  刈草の細断処理と搬送排出処理とをバランス良く行える作業性に優れたサイドディスチャージモーアを提供する。【解決手段】  天井面１６Ａが扁平なフラットデッキ型のモーアデッキ１６の内部に、縦軸心Ｐ１周りに回転駆動される複数の回転ブレード１７を並列配備し、モーアデッキ１６の内部後側に、各回転ブレード１７の先端が描く回転軌跡Ｋの後部側に沿うように形成したバキュームプレート１８を装備し、モーアデッキ１６の左右一側端に排出口１６Ｂを形成したサイドディスチャージモーアにおいて、排出方向上手側の縦軸心Ｐ１の近傍から排出方向下手側の近隣に位置する縦軸心Ｐ１の前方に向けて延出する第１案内部２０Ａと、バキュームプレート１８から隣り合う縦軸心Ｐ１，Ｐ１の中間を通って前方に向けて延出する第２案内部２０Ｂとを有する固定式のバッフルプレート２０を装備してある。【選択図】        図３
2006246749.tif 000002
【特許請求の範囲】
【請求項１】
天井面が扁平に形成されたフラットデッキ型のモーアデッキの内部に、縦軸心周りに回転駆動される複数の回転ブレードを並列配備し、前記モーアデッキの内部後側に、各回転ブレードの先端が描く回転軌跡の後部側に沿うように形成したバキュームプレートを装備し、前記モーアデッキの左右一側端に排出口を形成してあるサイドディスチャージモーアであって、
排出方向上手側の縦軸心の近傍から排出方向下手側の近隣に位置する縦軸心の前方に向けて延出する第１案内部と、前記バキュームプレートから隣り合う縦軸心の中間を通って前方に向けて延出する第２案内部とを有するように形成した固定式のバッフルプレートを装備してあるサイドディスチャージモーア。
【請求項２】
前記第２案内部を、その排出方向下手側の近隣に位置する回転ブレードの先端が描く回転軌跡に沿うように湾曲させてある請求項１に記載のサイドディスチャージモーア。
【請求項３】
排出方向最下手側の縦軸心の近傍から前記排出口に向けて延出するとともに、前記排出口の開度調節が可能に構成された可動式のバッフルプレートを装備してある請求項１又は２に記載のサイドディスチャージモーア。
【請求項４】
前記バッフルプレートを、その前記バキュームプレート側が前記縦軸心側よりも、前記モーアデッキからの垂下長さが長くなるように形成してある請求項１〜３のいずれか一つに記載のサイドディスチャージモーア。
【請求項５】
前記モーアデッキの左右他側端に、その左右他側端から前記モーアデッキの前端側に向けて、排出方向最上手側の回転ブレードの先端が描く回転軌跡に沿って延出するガイドプレートを装備してある請求項１〜４のいずれか一つに記載のサイドディスチャージモーア。
【発明の詳細な説明】
【技術分野】
【０００１】
本発明は、天井面が扁平に形成されたフラットデッキ型のモーアデッキの内部に、縦軸心周りに回転駆動される複数の回転ブレードを並列配備し、前記モーアデッキの内部後側に、各回転ブレードの先端が描く回転軌跡の後部側に沿うように形成したバキュームプレートを装備し、前記モーアデッキの左右一側端に排出口を形成してあるサイドディスチャージモーアに関する。
【背景技術】
【０００２】
サイドディスチャージモーアとしては、モーアデッキにおける天井面の前部を上方に向けて膨出させて、その前部に、左右一側端に形成した排出口に連なる刈草排出経路を備えたもの（例えば特許文献１参照）や、天井面が扁平に形成されたフラットデッキ型のモーアデッキの内部に、回転ブレードの先端が描く回動軌跡の前部側に沿うように形成したバッフルプレートを備えたものがある（例えば、特許文献２参照）。
【特許文献１】特開平８−２８０２２５号公報
【特許文献２】特開２００４−４１０６０号公報
【発明の開示】
【発明が解決しようとする課題】
【０００３】
刈草排出経路を備えたサイドディスチャージモーアにおいては、刈草が刈草排出経路に到達すると、回転ブレードによる持ち回りから開放されて、刈草排出経路に沿って速やかに搬送排出されるため、排出口から刈草を排出する搬送排出処理を良好に行えるものの、回転ブレードによる刈草の持ち回りが少なくなり、その持ち回りによる適切な細断処理を行えないことから、刈草を細断して排出口から均平に拡散排出することで排出後の刈草を目立たなくする、といったことが行えず、結果、刈草を回収する必要が生じることになる。
【０００４】
一方、回動軌跡の前部側に沿うバッフルプレートを備えたサイドディスチャージモーアにおいては、バッフルプレートの作用で、回転ブレードによる刈草の持ち回りが多くなることから、刈草に対する細断処理を効果的に行えるようになり、又、それによって、刈草を排出口から均平に拡散排出し易くなることから、排出後の刈草を目立たなくすることができる反面、長い草が密集するような作業条件では、回転ブレードによる刈草の持ち回り量が多くなり過ぎて、刈り取り性能に悪影響を及ぼすことがあり、この場合には、適切な細断処理を行えないだけでなく草丈が不揃いになることから、排出後の刈草を目立たなくする、といったことが行えない上に作業精度の低下を招くことになる。
【０００５】
本発明の目的は、刈草の細断処理と搬送排出処理とをバランス良く行える作業性に優れたサイドディスチャージモーアを提供することにある。
【課題を解決するための手段】
【０００６】
本発明のうちの請求項１に記載の発明では、天井面が扁平に形成されたフラットデッキ型のモーアデッキの内部に、縦軸心周りに回転駆動される複数の回転ブレードを並列配備し、前記モーアデッキの内部後側に、各回転ブレードの先端が描く回転軌跡の後部側に沿うように形成したバキュームプレートを装備し、前記モーアデッキの左右一側端に排出口を形成してあるサイドディスチャージモーアにおいて、排出方向上手側の縦軸心の近傍から排出方向下手側の近隣に位置する縦軸心の前方に向けて延出する第１案内部と、前記バキュームプレートから隣り合う縦軸心の中間を通って前方に向けて延出する第２案内部とを有するように形成した固定式のバッフルプレートを装備してある。
【０００７】
この構成によると、モーアデッキをフラットデッキ型とすることで、刈草排出経路を膨出形成する場合に比較して、回転ブレードの回転に伴って発生する刈草の搬送排出が抑制され、回転ブレードによる刈草の持ち回りが促進された状態になるが、第１案内部と第２案内部とを有するバッフルプレートを備えたことで、刈草は、回転ブレードによる持ち回り作用を受けながらバッフルプレートによる案内作用を受けることが可能になる。そのため、浮上し難い長い刈草は、その多くがバッフルプレートの第１案内部による案内作用を受けずに回転ブレードによる持ち回り作用を受けることで細断処理されることになり、浮上し易い短い刈草は、その殆どが回転ブレードによる持ち回り作用を受けながら第１案内部による案内作用を受けることで排出口に向けて搬送されることになる。
【０００８】
そして、バッフルプレートの第２案内部による案内作用で、排出方向下手側の回転ブレードで刈り取られた刈草が、排出方向上手側の回転ブレードの持ち回り領域に流入することを効果的に抑制でき、その流入に起因した排出方向上手側での持ち回り量の増大や持ち回り速度の低下を回避でき、又、バッフルプレートの第１案内部による案内作用で、排出方向上手側の刈草が、排出方向下手側の第１案内部による案内領域に案内され、排出方向下手側の刈草とともに流速を失うことなく排出口に向けて速やかに搬送されることになる。
【０００９】
しかも、バッフルプレートの第１案内部が、排出方向上手側の縦軸心の近傍から排出方向下手側の近隣に位置する縦軸心の前方に向けて延出することで、回転ブレードの追い刈り領域では、車体の走行に伴って回転ブレードから逃げる状態となる刈草を第１案内部で受けることができ、回転ブレードによる追い刈りを良好に行える。
【００１０】
従って、追い刈り領域においても良好な刈り取りを行える上に、排出方向の上手側と下手側とにかかわらず、長い刈草に対しては適切な細断処理を、又、短い刈草に対しては速やかな搬送排出処理を施すことができて、長い草が密集するような作業条件であっても、回転ブレードによる刈草の持ち回り量が過剰になって刈り取り性能に悪影響を及ぼす虞や動力が低下する虞を回避できるとともに、刈草を排出口から均平に拡散排出して排出後の刈草を目立たなくすることができ、結果、刈り取り性能の向上を図れる上に、刈草の細断処理と搬送排出処理とをバランス良く良好に行える作業性に優れたものにできる。
【００１１】
本発明のうちの請求項２に記載の発明では、上記請求項１に記載の発明において、前記第２案内部を、その排出方向下手側の近隣に位置する回転ブレードの先端が描く回転軌跡に沿うように湾曲させてある。
【００１２】
この構成によると、排出方向上手側のバッフルプレートの第２案内部による案内作用で、排出方向下手側の回転ブレードで刈り取られて細断された刈草を、排出方向上手側の回転ブレードの持ち回り領域に流入することを効果的に抑制しながら、排出方向下手側の第１案内部による案内領域に、より速やかに排出口に向かわせることのできる方向性を持たせた状態で案内でき、もって、排出方向上手側の刈草とともに排出口に向けてより速やかに搬送することができる。
【００１３】
従って、各回転ブレードで細断した刈草を排出口に向けて搬送する搬送排出処理能力の向上を図れる。
【００１４】
本発明のうちの請求項３に記載の発明では、上記請求項１又は２に記載の発明において、排出方向最下手側の縦軸心の近傍から前記排出口に向けて延出するとともに、前記排出口の開度調節が可能に構成された可動式のバッフルプレートを装備してある。
【００１５】
この構成によると、モーアデッキの排出方向最下手側においても、刈草は、回転ブレードによる持ち回り作用を受けながらバッフルプレートによる案内作用を受けることが可能になる。そのため、浮上し難い長い刈草は、その殆どがバッフルプレートの案内作用を受けずに回転ブレードによる持ち回り作用を受けることで細断処理されることになり、浮上し易い短い刈草は、その多くが回転ブレードによる持ち回り作用を受けながらバッフルプレートの案内作用を受けることで排出口に向けて搬送されることになる。
【００１６】
又、バッフルプレートが、排出方向最下手側の縦軸心の近傍から排出口に向けて延出することで、排出方向最下手側の回転ブレードの追い刈り領域では、車体の走行に伴って回転ブレードから逃げる状態となる刈草をバッフルプレートで受けることができ、排出方向最下手側の回転ブレードによる追い刈りを良好に行える。
【００１７】
しかも、可動式のバッフルプレートによって排出口の開度を大きくすると、排出口からの刈草の排出が促進されて各回転ブレードによる刈草の持ち回り量が減少することになり、逆に、可動式のバッフルプレートによって排出口の開度を小さくすると、排出口からの刈草の排出が抑制され、各回転ブレードによる刈草の持ち回り量が増大して細断が促進されることになる。
【００１８】
これによって、例えば、濡れ気味の重い草を刈り取る場合には、可動式のバッフルプレートによって排出口の開度を大きくすれば、浮上し難い重い刈草であっても、排出口から速やかに搬出することができ、各回転ブレードによる刈草の持ち回り量を減少させることができる。
【００１９】
逆に、例えば、乾き気味の軽い草を刈り取る場合には、可動式のバッフルプレートによって排出口の開度を小さくすれば、浮上し易い軽い刈草であっても、排出口からの排出を抑制でき、各回転ブレードの持ち回りによる細断を良好に行える。
【００２０】
従って、排出方向最下手側の回転ブレードによっても、その追い刈り領域での刈り取りを良好に行える上に、長い刈草に対しては適切な細断処理を、又、短い刈草に対しては速やかな搬送排出処理を施すことができて、長い草が密集するような作業条件であっても、排出方向最下手側の回転ブレードによる刈草の持ち回り量が過剰になって刈り取り性能に悪影響を及ぼす虞や動力が低下する虞を回避でき、更に、刈り取る草の濡れ具合などに応じて排出口の開度を調節することで、刈り取る草の濡れ具合などを考慮した刈草の細断処理と搬送排出処理との適切なバランス状態を容易に現出でき、結果、排出方向最下手側の回転ブレードにおいても、刈り取り性能の向上を図れる上に、刈草の細断処理と搬送排出処理とをバランス良く良好に行うことができ、しかも、刈り取る草の濡れ具合などにかかわらず刈り取り排出作業を良好に行えるより作業性に優れたものにできる。
【００２１】
本発明のうちの請求項４に記載の発明では、上記請求項１〜３のいずれか一つに記載の発明において、前記バッフルプレートを、その前記バキュームプレート側が前記縦軸心側よりも、前記モーアデッキからの垂下長さが長くなるように形成してある。
【００２２】
この構成によると、バッフルプレートの縦軸心側においては、回転ブレードによる刈草の持ち回りと排出口に向けた刈草の搬送排出とを良好に行えるようにしながら、バッフルプレートのバキュームプレート側においては、排出方向下手側の回転ブレードで刈り取られた刈草が、排出方向上手側の回転ブレードの持ち回り領域に流入することをより効果的に抑制でき、その流入に起因した排出方向上手側での持ち回り量の過剰や持ち回り速度の低下をより確実に回避できる。
【００２３】
従って、回転ブレードによる刈草の持ち回り量が過剰になることに起因した刈り取り性能や細断処理能力の低下などをより確実に回避できて、より良好に排出後の刈草を目立たなくすることができる作業精度の向上が図られたものにできる。
【００２４】
本発明のうちの請求項５に記載の発明では、上記請求項１〜４のいずれか一つに記載の発明において、前記モーアデッキの左右他側端に、その左右他側端から前記モーアデッキの前端側に向けて、排出方向最上手側の回転ブレードの先端が描く回転軌跡に沿って延出するガイドプレートを装備してある。
【００２５】
この構成によると、ガイドプレートによって、排出方向最上手側の回転ブレードで刈り取った草を、モーアデッキの左右他側端からモーアデッキの前端側に向けて、その左右他側端の前側コーナー部に刈草を滞留させることなく円滑に案内することができ、結果、排出方向最上手側の回転ブレードによる刈草の持ち回りと排出口に向けた刈草の搬送排出とを良好に行える。
【００２６】
従って、排出方向最上手側の回転ブレードによる刈草の細断処理と搬送排出処理とを良好に行えるより作業性に優れたものにできる。
【発明を実施するための最良の形態】
【００２７】
図１には草刈り作業を行う作業機の一例であるフロントモーアの全体側面が、又、図２にはその全体平面がそれぞれ示されており、このフロントモーアは、走行車体１の前部に、油圧シリンダ（図示せず）の作動で昇降揺動するリンク機構２を介して、モーア３を駆動昇降可能に連結して構成されている。
【００２８】
走行車体１は、その後部に搭載した水冷式のエンジン４からの動力を、その前部に配備した変速装置５に伝達し、その変速装置５による変速後の走行用動力を、左右一対の前輪６及び後輪７に伝達する４輪駆動型に構成され、その後部には、エンジン４やその前部に装備された冷却ファン８、及び、冷却ファン８の前方に立設されたラジエータ９などを上方から覆うボンネット１０が、後部支点周りに上下方向に開閉揺動可能に配備され、その前部には、左右の後輪７に操舵連係されたステアリングホイール１１や運転座席１２などを備える搭乗運転部１３が形成され、エンジン４からの動力による冷却ファン８の作動で、搭乗運転部１３側の外気をボンネット１０の内部に吸引してラジエータ９やエンジン４に供給する。
【００２９】
尚、符号１４は、冷却ファン８の吸引によるボンネット１０の内部への刈草などの流入を防止する箱状に形成された防塵網であり、符号１５は、運転座席１２の後部に立設されたアーチ状の保護フレームである。
【００３０】
図１〜６に示すように、モーア３は、天井面１６Ａが扁平に形成されたフラットデッキ型のモーアデッキ１６の内部に、縦軸心Ｐ１周りに回転可能な３枚の回転ブレード１７を左右に並列配備し、モーアデッキ１６の内部後側に、各回転ブレード１７の先端が描く回転軌跡Ｋの後部側に沿うように波状に形成したバキュームプレート１８を装備し、モーアデッキ１６の右端に排出口１６Ｂを形成したサイドディスチャージ式に構成され、変速装置５からの作業用動力が、モーアデッキ１６の上部に配備した動力分配部１９を介して各回転ブレード１７に伝達されることで、各回転ブレード１７が縦軸心Ｐ１周りに回転駆動されるようになっている。
【００３１】
尚、３枚の回転ブレード１７は、左右中央の回転ブレード１７が左右の回転ブレード１７よりも前寄りに位置する山形状で、隣り合う回転ブレード１７の先端が描く回転軌跡Ｋの一部が重複するように配置設定されている。
【００３２】
図３〜６に示すように、各回転ブレード１７は、その左右両端部における回転方向下手側となる前縁部には刈刃１７Ａを、その左右両端部における回転方向上手側となる後縁部には起風翼１７Ｂを備え、その回転に伴う刈刃１７Ａと起風翼１７Ｂとの作用で、草を刈り取る刈取処理と、刈り取った草を持ち回って細断する細断処理と、細断した刈草を排出口１６Ｂに向けて搬送して排出口１６Ｂから均平に拡散排出する搬送排出処理とを行うように形成されている。
【００３３】
図３〜７に示すように、モーアデッキ１６の内部において、その天井面１６Ａと左端の回転ブレード１７との間、及び、その天井面１６Ａと左右中央の回転ブレード１７との間には、それぞれ、排出方向上手側に位置する回転ブレード１７の縦軸心Ｐ１の近傍から、排出方向下手側の隣に位置する回転ブレード１７の縦軸心Ｐ１の前方に向けて延出する第１案内部２０Ａと、バキュームプレート１８における前方向きの膨出部１８Ａから、隣り合う縦軸心Ｐ１、Ｐ１の中間を通って前方に向けて延出する第２案内部２０Ｂとを有するように形成した固定式のバッフルプレート２０が配備されいる。又、その天井面１６Ａと右端の回転ブレード１７との間には、その排出方向最下手側に位置する回転ブレード１７の縦軸心Ｐ１の近傍から排出口１６Ｂに向けて延出する案内部２１Ａと、バキュームプレート１８に内接する内接部２１Ｂとを有するように形成されるとともに、その縦軸心Ｐ１寄りの位置に設定した支点Ｐ２周りに前後揺動可能に装備され、その前後揺動で排出口１６Ｂの開度を調節する可動式のバッフルプレート２１が配備されている。
【００３４】
固定式の各バッフルプレート２０と可動式のバッフルプレート２１のそれぞれは、そのバキュームプレート１８側となる後側部位２０ａ，２１ａにおけるモーアデッキ１６の天井面１６Ａからの垂下長さＬ１が、その縦軸心Ｐ１側となる前側部位２０ｂ，２１ｂにおけるモーアデッキ１６の天井面１６Ａからの垂下長さＬ２よりも長くなるように形成されている。
【００３５】
固定式の各バッフルプレート２０において、第１案内部２０Ａは、縦軸心Ｐ１の近傍で回転ブレード１７の回転軌跡Ｋに略沿って湾曲する上手側案内部位２０ｃと、モーアデッキ１６の前壁１６Ｃに沿って湾曲する下手側案内部位２０ｄとを有するように形成され、第２案内部２０Ｂは、排出方向下手側の隣に位置する回転ブレード１７の回転軌跡Ｋに沿って湾曲するように形成されている。
【００３６】
可動式のバッフルプレート２１は、その内接部２１Ｂに、バキュームプレート１８におけるバッフルプレート２１との接合箇所に形成した前後向きの長孔１８ａに挿通されるボルト２１Ｃが固着されるとともに、このボルト２１Ｃに螺合するナット２１Ｄなどが備えられ、そのボルト２１Ｃに対するナット２１Ｄの螺合で任意の前後揺動姿勢にて固定保持できる。
【００３７】
モーアデッキ１６の内部における左前側のコーナー部には、その左端から前端側に向けて、排出方向最上手側となる左端の回転ブレード１７の先端が描く回転軌跡Ｋに沿って延出するガイドプレート２２が装備されている。
【００３８】
以上の構成から、モーアデッキ１６としてフラットデッキ型のものを採用することで、モーアデッキ１６の前部に刈草排出経路を膨出形成する場合に比較して、各回転ブレード１７の回転に伴って発生する刈草の搬送排出が大幅に抑制され、かつ、各回転ブレード１７による刈草の持ち回りが大幅に促進された状態にしながらも、前述した固定式のバッフルプレート２０と可動式のバッフルプレート２１とを備えたことで、刈草は、各回転ブレード１７による持ち回り作用を受けながら各バッフルプレート２０，２１による案内作用を受けることになり、もって、浮上し難い長い刈草は、その殆どがバッフルプレート２０の第１案内部２０Ａやバッフルプレート２１による案内作用を受けずに各回転ブレード１７による持ち回り作用を受けることで細断処理されることになり、浮上し易い短い刈草は、その殆どが各回転ブレード１７による持ち回り作用を受けながら、バッフルプレート２０の第１案内部２０Ａやバッフルプレート２１による案内作用を受けて排出口１６Ｂに向けて搬送されることになる。
【００３９】
そして、排出方向最上手側に位置する左側の回転ブレード１７で細断された刈草は、左側に位置するバッフルプレート２０の第１案内部２０Ａやガイドプレート２２による案内作用を受けて、排出方向下手側に位置する左右中央のバッフルプレート２０の第１案内部２０Ａによる案内領域に速やかに案内される。左右中央の回転ブレード１７で細断された刈草は、左側に位置するバッフルプレート２０の第２案内部２０Ｂによる案内作用を受けて、左側の回転ブレード１７の持ち回り領域への流入が効果的に抑制されるとともに、左右中央に位置するバッフルプレート２０の第１案内部２０Ａによる案内領域に、排出口１６Ｂに向かう方向性を有する状態で速やかに案内され、排出方向上手側の刈草とともに、左右中央に位置するバッフルプレート２０の第１案内部２０Ａによる案内作用を受けて、排出方向下手側に位置するバッフルプレート２１による案内領域に速やかに案内される。排出方向最下手側に位置する右側の回転ブレード１７で細断された刈草は、左右中央に位置するバッフルプレート２０の第２案内部２０Ｂによる案内作用を受けて、左右中央の回転ブレード１７の持ち回り領域への流入が効果的に抑制されるとともに、バッフルプレート２１による案内領域に、排出口１６Ｂに向かう方向性を有する状態で速やかに案内され、排出方向上手側の刈草とともに、バッフルプレート２１による案内作用を受けて、排出口１６Ｂに向けて速やかに案内される。
【００４０】
又、可動式のバッフルプレート２１によって排出口１６Ｂの開度を大きくすれば、排出口１６Ｂからの刈草の排出が促進されて、各回転ブレード１７による刈草の持ち回り量が減少することになり、逆に、排出口１６Ｂの開度を小さくすれば、排出口１６Ｂからの刈草の排出量が抑制され、右側の回転ブレード１７による刈草の持ち回り量が増大して細断が促進されるようになることから、例えば、濡れ気味の重い草を刈り取る場合には、可動式のバッフルプレート２１によって排出口１６Ｂの開度を大きくすれば、浮上し難い重い刈草であっても、排出口１６Ｂから速やかに排出することができ、各回転ブレード１７による刈草の持ち回り量を減少させることができ、逆に、例えば、乾き気味の軽い草を刈り取る場合には、可動式のバッフルプレート２１によって排出口１６Ｂの開度を小さくすれば、浮上し易い軽い刈草であっても、排出口１６Ｂからの排出を抑制でき、各回転ブレード１７の持ち回りによる細断を良好に行える。
【００４１】
しかも、バッフルプレート２０の第１案内部２０Ａが、排出方向上手側に位置する回転ブレード１７の縦軸心Ｐ１の近傍から排出方向下手側の隣に位置する回転ブレード１７の縦軸心Ｐ１の前方に向けて延出し、又、バッフルプレート２１が、排出方向最下手側に位置する回転ブレード１７の縦軸心Ｐ１の近傍から排出口１６Ｂに向けて延出することで、各回転ブレード１７の追い刈り領域では、車体の走行に伴って各回転ブレード１７から逃げる状態となる刈草を第１案内部２０Ａやバッフルプレート２１で受けることができ、各回転ブレード１７による追い刈りを良好に行える。
【００４２】
つまり、各回転ブレード１７の追い刈り領域においても良好な刈り取りを行える上に、各回転ブレード１７によって、長い刈草に対しては適切な細断処理を、又、短い刈草に対しては速やかな搬送排出処理を施すことができて、長い草が密集するような作業条件であっても、各回転ブレード１７による刈草の持ち回り量が過剰になって刈り取り性能に悪影響を及ぼす虞や動力が低下する虞を回避できるとともに、刈草を排出口１６Ｂから均平に拡散排出して排出後の刈草を目立たなくすることができ、結果、刈り取り性能の向上を図れる上に、刈草の細断処理と搬送排出処理とをバランス良く良好に行える。
【００４３】
〔別実施例〕
以下、本発明の別実施例を列記する。
〔１〕作業機としては、走行機体１の前輪６と後輪７との間にモーア３を配備したミッドモーアや、フロントローダ及びバックホーとともにモーア３を備えた複合作業機などであってもよい。
【００４４】
〔２〕モーア３としては、天井面１６Ａが扁平に形成されたフラットデッキ型のモーアデッキ１６の内部に、縦軸心Ｐ１周りに回転駆動される２枚の回転ブレード１７を左右に並列配備するものであってもよく、又、４枚以上の回転ブレード１７を左右に並列配備するものであってもよい。
【００４５】
〔３〕可動式のバッフルプレート２１としては、任意の前後揺動姿勢にて摩擦保持されるように構成したものであってもよく、搭乗運転部１３からの前後揺動操作が可能となるように、搭乗運転部１３に備えた操作具に操作連係されたものであってもよい。
【００４６】
〔４〕各バッフルプレート２０，２１を、そのバキュームプレート１８側と縦軸心Ｐ１側とに関係なく、モーアデッキ１６の天井面１６Ａからの垂下長さが同じになるように形成してもよい。
【図面の簡単な説明】
【００４７】
【図１】フロントモーアの全体側面図
【図２】フロントモーアの全体平面図
【図３】モーアの底面図
【図４】図３におけるＡ−Ａ断面図
【図５】図３におけるＢ−Ｂ断面図
【図６】モーアにおける底面側の斜視図
【図７】固定式のバッフルプレートの形状を示す斜視図
【符号の説明】
【００４８】
１６    モーアデッキ
１６Ａ  天井面
１６Ｂ  排出口
１７    回転ブレード
１８    バキュームプレート
２０    固定式のバッフルプレート
２０Ａ  第１案内部
２０Ｂ  第２案内部
２１    可動式のバッフルプレート
２２    ガイドプレート
Ｋ      回転軌跡
Ｐ１    縦軸心
【図１】
2006246749.tif 000003
【図２】
2006246749.tif 000004
【図３】
2006246749.tif 000005
【図４】
2006246749.tif 000006
【図５】
2006246749.tif 000007
【図６】
2006246749.tif 000008
【図７】
2006246749.tif 000009